(57)【特許請求の範囲】
【請求項１】
コンクリート構造物の補修箇所に止水用充填材を注入する注入具をこれが取り付けられた壁面から取り外すための取り外し治具であって、
前記注入具は、末端部に軸線に対して直交する環状の凹溝または段差を有し、
円筒形の拡径部とこれから軸方向に延び拡径部より外径が小さい雄ねじ部とからなり、軸方向に貫通する中空孔を有する中空ねじ軸と、
前記中空孔に内蔵され、拡径部から雄ねじ部側に逆流する充填材の流れを防止する逆止弁と、
前記雄ねじ部の外側に挿入され、外径が前記拡径部の外径より大きく、弾性部材からなる中空円筒形のシール部材と、
前記雄ねじ部と螺合する中空の雌ねじ孔と末端部に設けられた注入ガン用の接続口とを有するナット部材と、を備え、
前記ナット部材は、中空かつ輪郭形状が一定であり、前記凹溝または段差は、接続口と先端部との間に位置し、
前記ナット部材の輪郭形状は、正六角形であり、前記凹溝または段差は、接続口側に軸線に対して直交する鍔面を有し、
前記鍔面が前記軸線に沿って前記接続口側に移動されることにより取り付けられた前記コンクリート構造物の壁面から前記接続口側に軸方向に引き抜かれるようになっており、
さらに前記取り外し治具は、前記ナット部材の凹溝または段差と嵌合する凸部を内側に有するヘッド部材と、該ヘッド部材を軸線に沿って移動させる直動治具とを備える、ことを特徴とする止水用充填材の注入具の取り外し治具。
【請求項２】
前記直動治具は、一端部がヘッド部材に回転可能に取り付けられ、軸線に沿って延び、外周部に細長い角ねじ部を有し、軸線を中心に回転駆動可能な角ねじ部材と、
該角ねじ部材の軸線を注入具と同心に保持しかつ角ねじ部に作用する軸方向力を壁面に伝達する支持本体とを備え、
該支持本体は、角ねじ部と螺合する支持金具と、壁面に接触する支持台座と、支持金具と支持台座を連結する連結部とを有する、ことを特徴とする請求項１に記載の止水用充填材の注入具の取り外し治具。
【請求項３】
前記支持本体は、前記支持台座に設けられ壁面との隙間を無くし、角ねじ部から支持金具に作用する軸方向の力を壁面に伝達する隙間調整具を備える、ことを特徴とする請求項２に記載の止水用充填材の注入具の取り外し治具。
【発明の詳細な説明】
【技術分野】
【０００１】
本発明は、コンクリート構造物の補修箇所に止水用充填材の注入具の取り外し治具に関する。
【背景技術】
【０００２】
コンクリート構造物の打継ぎ部には、空隙が存在し、この空隙から雨水等が侵入することがある。また、地震や経年変化によりコンクリート構造物にひび割れが生じた場合にも、このひび割れ部から雨水等が侵入する。
そこで、コンクリート構造物の打継ぎ部やひび割れ部の止水方法として、特許文献１が提案され既に実施されている。
【０００３】
特許文献１は、コンクリートの打継ぎ部又はひび割れによる空隙に充填材を高圧力で注入してコンクリート構造物に生じた空隙部を充填材にて置換することによって、特に地下構造物の水漏れ防止に適する止水方法を提供することを目的としている。
この方法は、図５に示すように、コンクリート壁面５２の内側から穿孔し打継ぎ部５３又はひび割れ部による空隙部の中心部を貫通しかつ開口位置がコンクリート厚みの中心位置となる注入穴５４を穿け、注入穴の開口部に注入具５５を装着して注入穴５４の底部と注入具５５との間に加圧域５６を形成し、注入具５５から加圧域５６に対し充填材を１００〜３５０ｋｇ／ｃｍ２の注入圧力により注入し、充填材がコンクリート壁面の内側に流出するまで注入作業を行うことにより、空隙部に溜っている水を排出すると共に空隙部を充填材によって置換するものである。
【０００４】
【特許文献１】特許第３３０６３７５号公報、「コンクリート構造物の止水方法」
【発明の開示】
【発明が解決しようとする課題】
【０００５】
図６は、特許文献１の止水方法の実施に際し充填材を注入する注入具を示している。この図において、注入具５５は中空ねじ軸６１と、弾性材による圧力管６２と、外周が断面六角形の管状ナット６３とからなり、中空ねじ軸６１には内部に逆止弁６４が内蔵され、又、圧力管６２と管状ナット６３との間には座金６５が装着される。
【０００６】
充填材は高圧力で送給するので、圧力管６２はコンクリートの穴にしっかり固定するまで管状ナット６３を締め付ける。続いて、管状ナット６３の接続口６６に注入ガンを接続して注入機からの充填材を送給する。逆止弁６４は接続口６６から供給される充填材の圧力によってスプリング６７に抗して開となり、充填材を注出口６８から注入穴内に送給する。
【０００７】
充填材を注入した後、充填材が硬化するまで養生し、充填材が硬化したら管状ナット６３を緩めて圧力管６２を元の状態にして注入穴から注入具５５を取り外し、空所になった部分にモルタル等を埋め込みコンクリート壁面を仕上げるようになっている。
【０００８】
しかし、実際に、充填材が硬化した後、管状ナット６３を緩めても充填材により注入具がコンクリートの穴にしっかり固定されたままとなり、注入穴からの注入具５５の取り外しができないことが多い。
そのため、従来は、そのまま放置するか、タガネ等を用いて突出部分を切除していた。しかし、そのまま放置すると美観を損ない、かつ内装が困難であり、タガネ等で切除すると、コンクリート壁面に損傷を与え、ひび割れ等の原因となる問題点があった。
【０００９】
本発明は、かかる問題点を解決するために創案されたものである。すなわち本発明の目的は、充填材が硬化した後、コンクリート壁面に損傷を与えることなく、注入穴から容易に取り外すことができる止水用充填材の注入具の取り外し治具を提供することにある。
【課題を解決するための手段】
【００１０】
本発明によれば、コンクリート構造物の補修箇所に止水用充填材を注入する注入具をこれが取り付けられた壁面から取り外すための取り外し治具であって、
前記注入具は、末端部に軸線に対して直交する環状の凹溝または段差を有し、
円筒形の拡径部とこれから軸方向に延び拡径部より外径が小さい雄ねじ部とからなり、軸方向に貫通する中空孔を有する中空ねじ軸と、
前記中空孔に内蔵され、拡径部から雄ねじ部側に逆流する充填材の流れを防止する逆止弁と、
前記雄ねじ部の外側に挿入され、外径が前記拡径部の外径より大きく、弾性部材からなる中空円筒形のシール部材と、
前記雄ねじ部と螺合する中空の雌ねじ孔と末端部に設けられた注入ガン用の接続口とを有するナット部材と、を備え、
前記ナット部材は、中空かつ輪郭形状が一定であり、前記凹溝または段差は、接続口と先端部との間に位置し、
前記ナット部材の輪郭形状は、正六角形であり、前記凹溝または段差は、接続口側に軸線に対して直交する鍔面を有し、
前記鍔面が前記軸線に沿って前記接続口側に移動されることにより取り付けられた前記コンクリート構造物の壁面から前記接続口側に軸方向に引き抜かれるようになっており、
さらに前記取り外し治具は、前記ナット部材の凹溝または段差と嵌合する凸部を内側に有するヘッド部材と、該ヘッド部材を軸線に沿って移動させる直動治具とを備える、ことを特徴とする止水用充填材の注入具の取り外し治具が提供される。
【００１４】
本発明の好ましい実施形態によれば、前記直動治具は、一端部がヘッド部材に回転可能に取り付けられ、軸線に沿って延び、外周部に細長い角ねじ部を有し、軸線を中心に回転駆動可能な角ねじ部材と、
該角ねじ部材の軸線を注入具と同心に保持しかつ角ねじ部に作用する軸方向力を壁面に伝達する支持本体とを備え、
該支持本体は、角ねじ部と螺合する支持金具と、壁面に接触する支持台座と、支持金具と支持台座を連結する連結部とを有する。
【００１５】
また、前記支持本体は、前記支持台座に設けられ壁面との隙間を無くし、角ねじ部から支持金具に作用する軸方向の力を壁面に伝達する隙間調整具を備える。
【発明の効果】
【００１６】
上記本発明の止水用充填材の注入具の取り外し治具によれば、注入具の末端部に軸線に対して直交する環状の凹溝または段差を有し、取り外し治具がナット部材の凹溝または段差と嵌合する凸部を内側に有するヘッド部材と、該ヘッド部材を軸線に沿って移動させる直動治具とを備えるので、直動治具によりヘッド部材を軸線に沿って移動させることによって、ヘッド部材と嵌合する注入具のナット部材を軸方向に正確に移動させることができる。
【００１７】
この直動治具は、角ねじ部材と支持本体を備え、角ねじ部材の軸線を注入具と同心に保持し、角ねじ部材を軸線を中心に回転駆動することで、角ねじ部に作用する軸方向力を壁面に伝達するので、小さい回転駆動力で、注入具を軸方向に正確に移動させて引き抜くことができ、充填材が硬化した後、コンクリート壁面に損傷を与えることなく、注入穴から容易に取り外すことができる。
【発明を実施するための最良の形態】
【００１８】
以下、本発明の好ましい実施形態を図面を参照して説明する。なお、各図において、共通する部分には同一の符号を付し重複した説明を省略する。
【００１９】
図１は、本発明による止水用充填材の注入具の第１形態を示す図である。この図において、（Ａ）は全体外形図、（Ｂ）はその断面図である。
図１において、本発明の止水用充填材の注入具１０は、中空ねじ軸１２、逆止弁１４、シール部材１６、およびナット部材１８を備える。
【００２０】
中空ねじ軸１２は、円筒形の拡径部１２ａとこれから軸方向に延び拡径部１２ａより外径が小さい雄ねじ部１２ｂとからなる。また中空ねじ軸１２は、軸方向に貫通する中空孔１２ｃを有する。
【００２１】
逆止弁１４は、拡径部１２ａの中空孔に内蔵され、拡径部１２ａから雄ねじ部側に逆流する充填材の流れを防止する。
シール部材１６は、弾性部材からなる中空円筒形部材であり、中空ねじ軸１２の雄ねじ部１２ｂの外側に挿入され、外径が中空ねじ軸１２の拡径部１２ａの外径より大きく設定されている。
【００２２】
ナット部材１８は、中空かつ輪郭形状が一定の部材であり、中空ねじ軸１２の雄ねじ部１２ｂと螺合する中空の雌ねじ孔１８ａと、シール部材１６と接触する先端部１８ｂとその反対側の末端部１８ｃとを有する。
この例において、ナット部材１８の輪郭形状は、正六角形であり、通常のスパナや六角レンチでナット部材１８をその軸線を中心に回転できるようになっている。
なお、ナット部材１８の輪郭形状は、正六角形に限定されず、その軸線を中心に回転できる限りで、平行２面を有する円形でも、その他の形状であってもよい。
【００２３】
ナット部材１８は、さらに末端部１８ｃに設けられた注入ガン用の接続口１９ａと、接続口１９ａと先端部１８ｂとの間に設けられ軸線に対して直交する環状の凹溝１９ｂとを有する。
この例において、環状の凹溝１９ｂは、接続口側に軸線に対して直交する鍔面を有する。
なお、凹溝１９ｂの形状は、この例に限定されず、注入具をこれが取り付けられた壁面から取り外すのに必要な軸力を伝達できる限りで、細いスリット溝でもよい。
【００２４】
図２は本発明による止水用充填材の注入具の第２形態を示す図である。
この例において、ナット部材１８の輪郭形状は、円形であり、その頭部１８ｄ（図で右端部）のみが正六角形であり、通常のスパナや六角レンチでナット部材１８をその軸線を中心に回転できるようになっている。
また、頭部１８ｄは、先端部１８ｂよりも最大径が大きくなっており、その間に段差１９ｃが形成されている。段差１９ｃの大きさは、注入具をこれが取り付けられた壁面から取り外すのに必要な軸力を伝達できる限りで、小さくてもよい。
その他の構成は、図１と同様である。
【００２５】
図３は、本発明による注入具の取り外し治具の第１形態を示す図である。本発明の取り外し治具２０は、上述した止水用充填材の注入具１０をこれが取り付けられた壁面１から取り外すための治具である。
なおこの図において、壁面１を左が低い傾斜面、注入具１０の軸線Ｚ−Ｚを上下方向に示しているが、壁面１は水平面又は鉛直面でもよく、注入具１０の軸線Ｚ−Ｚは、水平、鉛直、又は傾斜してもよい。
【００２６】
図３において、本発明の取り外し治具２０は、ヘッド部材２２と直動治具２４とを備える。
【００２７】
ヘッド部材２２は、この例では中空円筒形の部材であり、内側に凸部２２ａを有する。この凸部２２ａは、注入具１０（この例では、図１の注入具）のナット部材１８の凹溝１９ｂと嵌合する。さらにこのヘッド部材２２の側面には、ナット部材１８の末端部１８ｃを軸線に直交する方向に通す切欠部２２ｂが設けられている。
【００２８】
直動治具２４は、ヘッド部材２２を軸線Ｚ−Ｚに沿って移動させる機能を有する。
この例において、直動治具２４は、角ねじ部材２５と支持本体２６とを備える。
【００２９】
角ねじ部材２５は、一端部２５ａがヘッド部材２２に回転可能に取り付けられ、軸線Ｚ−Ｚに沿って延び、外周部に細長い角ねじ部２５ｂを有し、軸線Ｚ−Ｚを中心に回転駆動可能になっている。この回転駆動は、この例では、角ねじ部材２５の末端部２５ｃに取り付けられたハンドル２５ｄを手動で回転することによる。
なお本発明はこれに限定されず、末端部２５ｃを電動工具で回転させてもよい。
【００３０】
支持本体２６は、角ねじ部材２５の角ねじ部２５ｂと螺合する支持金具２６ａと、壁面１に接触する支持台座２６ｂと、これらを連結する連結部２６ｃとを有する。
支持台座２６ｂには、ナット部材１８の末端部１８ｃを軸線に直交する方向に通す切欠部（図示せず）が設けられている。
【００３１】
さらにこの例では、支持本体２６は、支持台座２６ｂに設けられ壁面１との隙間を無くし、角ねじ部２５ｂから支持金具２６ａに作用する軸方向の力を壁面１に伝達する隙間調整具２７を備える。
隙間調整具２７は、この例では、支持台座２６ｂに設けられら複数の貫通雌ねじと螺合する複数のボルトである。
なお、本発明はこの構成に限定されず、隙間調整具２７として例えば傾斜角度を調整可能な傾斜板を用いてもよい。
【００３２】
図４は、本発明による注入具の取り外し治具の第１形態を示す図である。
この図において、ヘッド部材２２は、この例では中空円筒形の部材であり、内側に凸部２２ｃを有する。この凸部２２ｃは、注入具１０（この例では、図２の注入具）のナット部材１８の段差１９ｃと嵌合する。さらにこのヘッド部材２２の側面には、ナット部材１８の頭部１８ｄを軸線に直交する方向に通す切欠部２２ｂが設けられている。
【００３３】
また、この例において、支持本体２６は、角ねじ部材２５の角ねじ部２５ｂと螺合する支持金具２６ａと、壁面１に接触する支持台座２６ｂと、これらを連結する連結部２６ｄとを有する。
連結部２６ｄは、この例では、図で前後に２枚あり、それぞれ支持台座２６ｂに揺動軸２６ｅを介して連結されている。
この構成により、上述した隙間調整具２７を用いることなく、角ねじ部材２５の軸線を注入具１０と同心に保持しかつ支持台座２６ｂと壁面１との隙間を無くし、角ねじ部２５ｂから支持金具２６ａに作用する軸方向の力を壁面に正確に伝達することができる。
その他の構成は、図３と同様である。
【００３４】
上述した支持本体２６により、支持金具２６ａの軸線をヘッド部材２２と同心に保持し、かつ角ねじ部材２５の角ねじ部２５ｂから支持金具２６ａに作用する軸方向の力を壁面１に伝達することができる。
【００３５】
上述した本発明の止水用充填材の注入具１０の取り外し治具２０によれば、注入具１０の末端部に軸線に対して直交する環状の凹溝１９ｂまたは段差１９ｃを有し、取り外し治具２０がナット部材１８の凹溝１９ｂまたは段差１９ｃと嵌合する凸部２２ａを内側に有するヘッド部材２２と、ヘッド部材を軸線に沿って移動させる直動治具２４とを備えるので、直動治具２４によりヘッド部材２２を軸線Ｚ−Ｚに沿って移動させることによって、ヘッド部材２２と嵌合する注入具１０のナット部材１８を軸方向に正確に移動させることができる。
【００３６】
この直動治具２０は、角ねじ部材２５と支持本体２６とを備え、角ねじ部材２５の軸線を注入具１０と同心に保持し、角ねじ部材２５をハンドル２５ｄ等で軸線Ｚ−Ｚを中心に回転駆動することで、角ねじ部に作用する軸方向力を壁面１に伝達するので、小さい回転駆動力で、注入具１０を軸方向Ｚ−Ｚに正確に移動させて引き抜くことができ、充填材が硬化した後であっても、コンクリート壁面１に損傷を与えることなく、注入穴から容易に取り外すことができる。
【００３７】
なお、本発明は上述した実施例及び実施形態に限定されず、本発明の要旨を逸脱しない範囲で種々変更できることは勿論である。
【図面の簡単な説明】
【００３８】
【図１】本発明による止水用充填材の注入具の第１形態図である。
【図２】本発明による止水用充填材の注入具の第２形態図である。
【図３】本発明による注入具の取り外し治具の第１形態図である。
【図４】本発明による注入具の取り外し治具の第２形態図である。
【図５】特許文献１の止水方法の説明図である。
【図６】従来の注入具の構成図である。
【符号の説明】
【００３９】
１  壁面、１０  注入具、１２  中空ねじ軸、
１２ａ  拡径部、１２ｂ  雄ねじ部、１２ｃ  中空孔、
１４  逆止弁、１６  シール部材、１８  ナット部材、
１８ａ  雌ねじ孔、１８ｂ  先端部、
１８ｃ  末端部、１８ｄ  頭部、
１９ａ  接続口、１９ｂ  凹溝、１９ｃ  段差、
２０  取り外し治具、２２  ヘッド部材、
２２ａ  凸部、２２ｂ  切欠部、２２ｃ  凸部、
２４  直動治具、２５  角ねじ部材、
２５ａ  一端部、２５ｂ  角ねじ部、２５ｃ  末端部、
２５ｄ  ハンドル、２６  支持本体、
２６ａ  支持金具、２６ｂ  支持台座、
２６ｃ  連結部、２６ｄ  連結部、
２６ｅ  揺動軸、２７  隙間調整具（ボルト）
【図１】
0005507814.tif 000002
【図２】
0005507814.tif 000003
【図３】
0005507814.tif 000004
【図４】
0005507814.tif 000005
【図５】
0005507814.tif 000006
【図６】
0005507814.tif 000007